【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
所定の演出表示が行われる表示手段と、
遊技者の操作に応じて変化する遊技状態を検出する遊技状態検出手段と、
前記遊技状態検出手段によって検出された遊技状態に基づいて所定の抽選結果についての抽選を行う抽選手段と、
前記抽選手段による抽選の結果に基づいて装飾図柄の変動表示が行われる複数の演出表示態様のうちのいずれかを選択し、該選択した演出表示態様を前記表示手段にて表示することによって前記演出表示にかかる制御を実行する演出表示制御手段と、
前記抽選手段による抽選にて所定の抽選結果が得られたとき、遊技者に有利な有利遊技状態を発生させる有利遊技状態発生手段と、を備え、
前記装飾図柄は、前記表示手段にて表示される複数の図柄列の別にそれぞれ変動表示されるとともに、それら図柄列の別に変動表示される当該装飾図柄がそれぞれ停止表示されたときに前記表示手段にて現れる図柄組み合わせによって前記抽選手段による抽選にて所定の抽選結果が得られたか否かが示唆される遊技機であって、
前記複数の演出表示態様には、
前記複数の図柄列のうちの特定の図柄列においてのみ前記装飾図柄が変動表示されている状態にあるときに、一連の内容として認識可能に構成される複数の区間演出のうちの最後の区間演出において、前記所定の抽選結果が得られている可能性が高いことが示唆されるストーリー演出が行われるストーリー演出表示態様が含まれており、
前記演出表示制御手段は、
前記抽選手段による抽選にて所定の抽選結果が得られたことに基づいて前記ストーリー演出表示態様が選択されたときは、前記複数の区間演出を前記表示手段にて順次表示するにあたり、前記最後の区間演出のほか、その前段階の区間演出においても前記抽選手段による抽選にて所定の抽選結果が得られたことが示唆される図柄組み合わせが現れるかたちで前記特定の図柄列にて変動表示されている装飾図柄を停止表示され得るようにしておき、前記最後の区間演出の前段階の区間演出にて前記所定の抽選結果が得られたことが示唆される図柄組み合わせが現れたときにはそれ以降の区間演出を表示することなく当該ストーリー演出表示態様を終了させる一方で、
前記抽選手段による抽選にて所定の抽選結果が得られなかったことに基づいて前記ストーリー演出表示態様が選択されたときは、前記最後の区間演出の前段階の区間演出においては前記抽選手段による抽選にて所定の抽選結果が得られなかったことが示唆される図柄組み合わせが現れないようにすることによって、前記所定の抽選結果が得られていないにもかかわらず、前記所定の抽選結果が得られている可能性が高いことが示唆される最後の区間演出が必ず現れるように前記複数の区間演出を前記表示手段にて順次表示するとともに、前記最後の区間演出にて前記所定の抽選結果が得られなかったことが示唆される図柄組み合わせが表示されたときに当該ストーリー演出表示態様を終了させる
ことを特徴とする遊技機。
【請求項２】
前記演出表示制御手段は、前記装飾図柄の表示中に前記表示手段にてキャラクタを動的に表示させるキャラクタ制御手段、及び前記キャラクタの表示中に前記表示手段にて背景を動的に表示させる背景制御手段を有するものである
請求項１に記載の遊技機。
【請求項３】
前記ストーリー演出表示態様の前記複数の区間演出においてはいずれも特定のキャラクタが表示される
請求項２に記載の遊技機。
【手続補正２】
【補正対象書類名】明細書
【補正対象項目名】０００７
【補正方法】変更
【補正の内容】
【０００７】
請求項１に記載の遊技機は、所定の演出表示が行われる表示手段と、遊技者の操作に応じて変化する遊技状態を検出する遊技状態検出手段と、前記遊技状態検出手段によって検出された遊技状態に基づいて所定の抽選結果についての抽選を行う抽選手段と、前記抽選手段による抽選の結果に基づいて装飾図柄の変動表示が行われる複数の演出表示態様のうちのいずれかを選択し、該選択した演出表示態様を前記表示手段にて表示することによって前記演出表示にかかる制御を実行する演出表示制御手段と、前記抽選手段による抽選にて所定の抽選結果が得られたとき、遊技者に有利な有利遊技状態を発生させる有利遊技状態発生手段と、を備え、前記装飾図柄は、前記表示手段にて表示される複数の図柄列の別にそれぞれ変動表示されるとともに、それら図柄列の別に変動表示される当該装飾図柄がそれぞれ停止表示されたときに前記表示手段にて現れる図柄組み合わせによって前記抽選手段による抽選にて所定の抽選結果が得られたか否かが示唆される遊技機であって、前記複数の演出表示態様には、前記複数の図柄列のうちの特定の図柄列においてのみ前記装飾図柄が変動表示されている状態にあるときに、一連の内容として認識可能に構成される複数の区間演出のうちの最後の区間演出において、前記所定の抽選結果が得られている可能性が高いことが示唆されるストーリー演出が行われるストーリー演出表示態様が含まれており、前記演出表示制御手段は、前記抽選手段による抽選にて所定の抽選結果が得られたことに基づいて前記ストーリー演出表示態様が選択されたときは、前記複数の区間演出を前記表示手段にて順次表示するにあたり、前記最後の区間演出のほか、その前段階の区間演出においても前記抽選手段による抽選にて所定の抽選結果が得られたことが示唆される図柄組み合わせが現れるかたちで前記特定の図柄列にて変動表示されている装飾図柄を停止表示され得るようにしておき、前記最後の区間演出の前段階の区間演出にて前記所定の抽選結果が得られたことが示唆される図柄組み合わせが現れたときにはそれ以降の区間演出を表示することなく当該ストーリー演出表示態様を終了させる一方で、前記抽選手段による抽選にて所定の抽選結果が得られなかったことに基づいて前記ストーリー演出表示態様が選択されたときは、前記最後の区間演出の前段階の区間演出においては前記抽選手段による抽選にて所定の抽選結果が得られなかったことが示唆される図柄組み合わせが現れないようにすることによって、前記所定の抽選結果が得られていないにもかかわらず、前記所定の抽選結果が得られている可能性が高いことが示唆される最後の区間演出が必ず現れるように前記複数の区間演出を前記表示手段にて順次表示するとともに、前記最後の区間演出にて前記所定の抽選結果が得られなかったことが示唆される図柄組み合わせが表示されたときに当該ストーリー演出表示態様を終了させることを要旨とするものである。
請求項２に記載の遊技機は、請求項１に記載の遊技機において、前記演出表示制御手段は、前記装飾図柄の表示中に前記表示手段にてキャラクタを動的に表示させるキャラクタ制御手段、及び前記キャラクタの表示中に前記表示手段にて背景を動的に表示させる背景制御手段を有するものであることを要旨とするものである。
請求項３に記載の遊技機は、請求項２に記載の遊技機において、前記ストーリー演出表示態様の前記複数の区間演出においてはいずれも特定のキャラクタが表示されるものであることを要旨とするものである。
【手続補正３】
【補正対象書類名】明細書
【補正対象項目名】０００８
【補正方法】変更
【補正の内容】
【０００８】
手段１：遊技機において、「複数の装飾図柄、キャラクタ、及び背景を表示するための表示手段と、遊技者の操作に応じて変化する遊技状態を検出する遊技状態検出手段と、該遊技状態検出手段によって検出された遊技状態に応じて所定の抽選結果を抽選する抽選手段と、該抽選手段の前記抽選結果に応じて、遊技者に所定の特典を付与する特典付与手段と、前記抽選手段の前記抽選結果に応じて、前記装飾図柄、前記キャラクタ、及び前記背景の少なくとも一つを動的に表示することで構成される演出表示態様を、前記表示手段に表示可能な演出表示制御手段とを具備し、前記演出表示態様には、全体が複数の区間に区分され、各区間における区間演出を順次表示することで、遊技者に一連の内容として認識可能に構成されていると共に、最後の該区間演出が、遊技者に所定の特典が付与される可能性の高いことを示唆する高期待演出とされ、各前記区間演出には遊技者に所定の特典が付与されることを示唆する当り演出と、特典が付与されないことを示唆するようなハズレ演出とを夫々有した特定演出表示態様を含み、前記演出表示制御手段は、前記特定演出表示態様における最後の前記区間演出の前までの該区間演出で、前記ハズレ演出が表示されると次の前記区間演出を表示させ、前記当り演出が表示されると前記特定演出表示態様を終了させる」ものであることを特徴とする。
ここで、「図柄」とは、数字や記号、あるいはそれらと絵柄との組合わせ等からなる演出用の図柄である。また、「キャラクタ」とは、図柄列及び背景以外の画像を意味しており、小説・漫画・映画・演劇などの登場人物、動物、植物、又は小道具類、もしくはこの遊技機のために作成された仮想上の人物、動物、植物、又は小道具類等を例示することができる。